(57)【要約】【課題】産業廃棄物処理場などに遮水構造を付設する際に、容易に展張させることができ、効率よく展張を行う。【解決手段】低段地よりなる貯留部７の底面及び周面に当接する不織布よりなる緩衝接地層３と、前記貯留部７の被覆面となる不織布よりなる緩衝層５と、前記緩衝接地層３と前記緩衝層５との間に展着されるシート材よりなる遮水層４と、を互いに対向する面を線状接着及び／又は点状接着で積層形成し、かつ、他のシートエレメント２との接合端縁において、前記各層３，４，５のそれぞれの端縁に互いを接着しない非接着部分を該端縁に沿って形成して、長尺な帯状に形成されるシートエレメント２よりなる遮水シート１の敷設方法である。【選択図】        図１
2006315005.tif 000002
【特許請求の範囲】
【請求項１】
低段地よりなる貯留部の底面及び周面に当接する不織布よりなる緩衝接地層と、前記貯留部の被覆面となる不織布よりなる緩衝層と、前記緩衝接地層と前記緩衝層との間に展着されるシート材よりなる遮水層と、を互いに対向する面を線状接着及び／又は点状接着で積層形成され、かつ、他のシートエレメントとの接合端縁において、前記各層のそれぞれの端縁に互いを接着しない非接着部分を該端縁に沿って形成して、長尺な帯状に形成されるシートエレメントよりなる遮水シートの敷設方法であって、
ロール状に巻回される前記シートエレメントを、台船上にシートの幅方向に複数並列させて載置し、該台船上にて前記ロール状シートエレメントを所定長さ巻き戻すとともに、長手方向の端縁及び長手方向に沿う幅方向の端縁にて、隣り合うシートエレメント同士で、最下層の緩衝接地層の接合代を溶着装置で点状接着及び／又は線状接着を行い、次に遮水層の接合代を溶着装置で一重線状接着及び／又は二重線状接着を行い、次に最上層の緩衝層の接合代を溶着装置で点状接着及び／又は線状接着を行い、所定の幅長の帯状遮水シートを得て、これを敷設するシート長さになるまで繰り返す長手方向敷設工程と、
前記長手方向敷設工程で敷設された帯状遮水シートの長手方向に沿う幅方向の端縁と、既に敷設された帯状遮水シートの長手方向に沿う幅方向の端縁を小型台船上で、前記長手方向敷設工程における接着と同様に順次接合して敷設するシート幅長さになるまで繰り返す幅方向敷設工程と、
前記幅方向敷設工程にて前記貯留部の底面及び周面を覆う遮水シートを接合形成した後、該遮水シート下部にある貯留部内の溜水をポンプにて遮水シートの上面に排出することにより、該遮水シートを前記貯留部の底面に沈めて敷設させる沈下工程と、
からなることを特徴とする遮水シートの敷設方法。
【請求項２】
低段地よりなる貯留部の底面及び周面に当接する不織布よりなる緩衝接地層と、前記貯留部の被覆面となる不織布よりなる緩衝層と、前記緩衝接地層と前記緩衝層との間に展着されるシート材よりなる遮水層と、を互いに対向する面を線状に接着し積層形成するシートエレメントであって、他のシートエレメントとの接合端縁において、前記各層のそれぞれの端縁に互いを接着しない非接着部分を該端縁に沿って形成して、長尺な帯状に形成されるシートエレメントよりなる遮水シートの敷設方法であって、
ロール状に巻回される前記シートエレメントを、台船上にシートの幅方向に複数並列させて載置し、該台船上にて前記ロール状シートエレメントを所定長さ巻き戻すとともに、長手方向に沿う幅方向の端縁にて、隣り合うシートエレメント同士で、最下層の緩衝接地層を溶着装置にて点状接着或いは線状接着を行い、次に遮水層の接合代を加熱溶着装置にて接合し、次に最上層の緩衝層を重ねて、順次前記シートエレメントを長手方向に接合して、所定の幅長の帯状遮水シートを得て、これを敷設するシート長さになるまで繰り返す長手方向敷設工程と、
前記台船を前記帯状遮水シートの幅方向に移動させ、前記長手方向敷設工程を行うとともに、既に敷設するシート長とされた帯状遮水シートの長手方向に沿う幅方向の端縁と接合して、該帯状遮水シート同士を順次接合して敷設するシート幅長となるまで繰り返す幅方向敷設工程と、
前記幅方向敷設工程にて前記貯留部の底面及び周面を覆う面積に遮水シートを接合形成して得た後、前記貯留部近傍に設置されるポンプにて、前記貯留部内の溜水を、前記遮水シートの上面に入れ換え、該遮水シートを沈めて前記貯留部の底面及び周面とにわたり敷設させる沈下工程と、
からなることを特徴とする遮水シートの敷設方法。
【請求項３】
低段地よりなる貯留部の底面及び周面に当接する不織布よりなる緩衝接地層と、前記貯留部の被覆面となる不織布よりなる緩衝層と、前記緩衝接地層と前記緩衝層との間に展着されるシート材よりなる遮水層と、を互いに対向する面を接着し積層形成する所定幅長及び所定長さのシートエレメントであって、他のシートエレメントとの接合端縁における少なくとも前記緩衝接地層の端縁が、前記遮水層の端縁より延出し、かつ、前記各層のそれぞれの端縁に互いを接着しない非接着部分を該端縁に沿って形成して前記緩衝接地層の延出した端縁と各層の各端縁に接合代を設けて構成し、長さ方向に連接して長尺な帯状に形成されるシートエレメントよりなる遮水シートの敷設方法であって、
ロール状に巻回される前記シートエレメントを、台船上に幅方向に複数並列させて載置し、該台船上にて前記ロール状シートエレメントを所定長さ巻き戻すとともに、長さ方向の連接部分を重合させずに並列して、長手方向に沿う幅方向の端縁にて、隣り合うシートエレメント同士で、最下層の緩衝接地層の接合代を溶着装置にて点状接着或いは線状接着を行い、次に最上層の緩衝層の接合代を所定幅折り返して遮水層の接合代を加熱溶着装置にて接合し、次に最上層の緩衝層を重ねて、順次前記シートエレメントを長手方向に接合して、所定の幅長の帯状遮水シートを得て、これを敷設するシート長さになるまで、台船を移動させながら繰り返す長手方向敷設工程と、
前記台船を前記帯状遮水シートの幅方向に移動させ、前記長手方向敷設工程を行うとともに、既に敷設するシート長とされた帯状遮水シートの長手方向に沿う端縁と接合して、該帯状遮水シート同士を順次接合して敷設するシート幅長となるまで繰り返す幅方向敷設工程と、
前記幅方向敷設工程にて前記貯留部の底面及び周面を覆う面積に遮水シートを接合形成して得た後、前記貯留部近傍に設置されるポンプにて、前記貯留部内の溜水を、前記遮水シートの上面に入れ換え、該遮水シートを沈めて前記貯留部の底面及び周面とにわたり敷設させる沈下工程と、
からなることを特徴とする遮水シートの敷設方法。
【請求項４】
請求項１，２，３のいずれか１つに記載の遮水シートの敷設方法において、
ロール状に巻回される前記シートエレメントを、台船上に幅方向に複数並列させて載置し、該台船上にて前記ロール状シートエレメントを所定長さ巻き戻すとともに切断し、該切断長さをシート幅長として、各シートエレメントの幅方向の端縁にて、隣り合うシートエレメント同士で、最下層の緩衝接地層の接合代を溶着装置で点状接着及び／又は線状接着を行い、次に遮水層の接合代を溶着装置で一重線状接着及び／又は二重線状接着を行い、次に最上層の緩衝層の接合代を溶着装置で点状接着及び／又は線状接着を行い、前記シートエレメントの幅方向を長さ方向として、該長さ方向にずらしながら、これを敷設するシート長さになるまで繰り返し、前記貯留部の周面に引き上げる周面敷設工程を含むことを特徴とする遮水シートの敷設方法。
【発明の詳細な説明】
【技術分野】
【０００１】
本発明は、産業廃棄物処理場などの低段地よりなる貯留部の底面及び周面に敷設され、これら底面，周面を被覆する遮水シートの敷設方法に関するものである。
【背景技術】
【０００２】
産業廃棄物処理場などでは、廃棄物より浸出する汚水が、土壌汚染、地下水汚染、公共水域汚染などを発生するおそれがあることから、公害防止上、その処理場の構造を遮水構造としなくてはならない。すなわち、処理場の地面に対して遮水シートを敷設しなくてはならない。そして、処理場などの構造として、海岸埋め立て地等の低段地である場合に、水が貯留されており、このことから、水中に遮水シートを沈め敷設しなくてはならない。
【０００３】
このような処理場の遮水構造としては、例えば塩化ビニル樹脂製のシート材よりなる遮水シートを用い、この遮水シートを水中に沈めて展張することで遮水構造としている。この遮水シートの水中への設置方法としては、下記に示す特許文献１，２などがある。
特許文献１は、処理場内に貯留している水を敷設する遮水シート上にポンプを用いて置換し、低段地内に沈めることで、敷設を行う工法である。また、特許文献２は、遮水シートに注水バッグを取り付け、水中内にて展張し、遮水シート展張後、注水バッグを遮水シートより取り外し、敷設を行う工法である。
そして、処理場内に投棄される廃棄物などにて、この遮水シートが破損しないように、遮水シートの上から砂などを投入し堆積させて緩衝層を構成させ、遮水構造を構成させていた。
【０００４】
ところが、上記した遮水シートの破損防止のための砂の投入は非常に煩雑であることから、近年ではこの遮水シートの上面に不織布よりなる緩衝シートを敷設する構造が利用されている。
【０００５】
この破損防止用の不織布は、遮水シートを敷設した後に、遮水シートと同様の敷設工法を用い、すなわち、下記特許文献１或いは特許文献２で示されるような工法にて水中に沈め、敷設を行っていた。
【特許文献１】特公昭６０−５８３３０号公報
【特許文献２】特開２０００−１９２４３４号公報
【発明の開示】
【発明が解決しようとする課題】
【０００６】
しかしながら、上述した従来の遮水構造では、遮水シートを水中に沈め、その後に緩衝シートを沈める工法であることから、完了するまでの施工が非常に煩雑であり、改善が望まれていた。特に緩衝シートが不織布からなる構成であり、水に対して浮力があることで、水中に沈みにくく、沈ませるための作業が困難である欠点を有し、敷設する領域が広域な場合に、施工に長大な時間を要する欠点がある。また、緩衝シートが水中に沈みにくいことから、水中内で確実に遮水シートを覆わせることが困難な欠点も有している。
【０００７】
そこで本発明は、上記問題点を解消するために、産業廃棄物処理場などに遮水構造を敷設する際に、容易に展張させることができ、効率よく展張を行うことのできる遮水シートの構造及びその敷設方法を得ること目的としている。
【課題を解決するための手段】
【０００８】
次に、上記の課題を解決するための手段を、実施の形態に対応する図面を参照して説明する。
【０００９】
請求項１記載の遮水シートの敷設方法は、低段地よりなる貯留部７の底面及び周面に当接する不織布よりなる緩衝接地層３と、前記貯留部７の被覆面となる不織布よりなる緩衝層５と、前記緩衝接地層３と前記緩衝層５との間に展着されるシート材よりなる遮水層４と、を互いに対向する面を線状接着及び／又は点状接着で積層形成され、かつ、他のシートエレメント２との接合端縁において、前記各層３，４，５のそれぞれの端縁に互いを接着しない非接着部分を該端縁に沿って形成して、長尺な帯状に形成されるシートエレメント２よりなる遮水シート１の敷設方法であって、
ロール状に巻回される前記シートエレメント２を、台船１０上にシートの幅方向に複数並列させて載置し、該台船１０上にて前記ロール状シートエレメント２Ｂを所定長さ巻き戻すとともに、長手方向の端縁及び長手方向に沿う幅方向の端縁にて、隣り合うシートエレメント同士で、最下層の緩衝接地層３の接合代３１を溶着装置で点状接着及び／又は線状接着を行い、次に遮水層４の接合代４１を溶着装置で一重線状接着及び／又は二重線状接着を行い、次に最上層の緩衝層５の接合代５１を溶着装置で点状接着及び／又は線状接着を行い、所定の幅長Ｗの帯状遮水シート１Ａを得て、これを敷設するシート長さになるまで繰り返す長手方向敷設工程と、
前記長手方向敷設工程で敷設された帯状遮水シート１Ａの長手方向に沿う幅方向の端縁と、既に敷設された帯状遮水シート１Ａの長手方向に沿う幅方向の端縁を小型台船１８上で、前記長手方向敷設工程における接着と同様に順次接合して敷設するシート幅長さになるまで繰り返す幅方向敷設工程と、
前記幅方向敷設工程にて前記貯留部７の底面及び周面を覆う遮水シート１を接合形成した後、該遮水シート１下部にある貯留部７内の溜水をポンプにて遮水シート１の上面に排出することにより、該遮水シート１を前記貯留部７の底面に沈めて敷設させる沈下工程と、
からなることを特徴とする。
【００１０】
請求項２記載の遮水シートの敷設方法は、低段地よりなる貯留部７の底面及び周面に当接する不織布よりなる緩衝接地層３と、前記貯留部７の被覆面となる不織布よりなる緩衝層５と、前記緩衝接地層３と前記緩衝層５との間に展着されるシート材よりなる遮水層４と、を互いに対向する面を線状に接着し積層形成するシートエレメント２であって、他のシートエレメント２との接合端縁において、前記各層３，４，５のそれぞれの端縁に互いを接着しない非接着部分を該端縁に沿って形成して、長尺な帯状に形成されるシートエレメントよりなる遮水シート１の敷設方法であって、
ロール状に巻回される前記シートエレメント２を、台船１０上にシートの幅方向に複数並列させて載置し、該台船１０上にて前記ロール状シートエレメント２Ｂを所定長さ巻き戻すとともに、長手方向に沿う幅方向の端縁にて、隣り合うシートエレメント同士で、最下層の緩衝接地層３を溶着装置にて点状接着或いは線状接着を行い、次に遮水層４の接合代４１を加熱溶着装置にて接合し、次に最上層の緩衝層５を重ねて、順次前記シートエレメント２を長手方向に接合して、所定の幅長Ｗの帯状遮水シート１Ａを得て、これを敷設するシート長さになるまで繰り返す長手方向敷設工程と、
前記台船１０を前記帯状遮水シート１Ａの幅方向に移動させ、前記長手方向敷設工程を行うとともに、既に敷設するシート長とされた帯状遮水シート１Ａの長手方向に沿う幅方向の端縁と接合して、該帯状遮水シート１Ａ同士を順次接合して、敷設するシート幅長となるまで繰り返す幅方向敷設工程と、
前記幅方向敷設工程にて前記貯留部７の底面及び周面を覆う面積に遮水シート１を接合形成して得た後、前記貯留部７近傍に設置されるポンプにて、前記貯留部７内の溜水を、前記遮水シート１の上面に入れ換え、該遮水シート１を沈めて前記貯留部７の底面及び周面とにわたり敷設させる沈下工程と、
からなることを特徴とする。
【００１１】
請求項３記載の遮水シートの敷設方法は、低段地よりなる貯留部の底面及び周面に当接する不織布よりなる緩衝接地層３と、前記貯留部７の被覆面となる不織布よりなる緩衝層５と、前記緩衝接地層３と前記緩衝層５との間に展着されるシート材よりなる遮水層４と、を互いに対向する面を接着し積層形成する所定幅長及び所定長さのシートエレメント２であって、他のシートエレメントとの接合端縁における少なくとも前記緩衝接地層３の端縁が、前記遮水層４の端縁より延出し、かつ、前記各層３，４，５のそれぞれの端縁に互いを接着しない非接着部分を該端縁に沿って形成して前記緩衝接地層３の延出した端縁と各層３，４，５の各端縁に接合代３１，４１，５１を設けて構成し、長さ方向に連接して長尺な帯状に形成されるシートエレメント２よりなる遮水シートの敷設方法であって、
ロール状に巻回される前記シートエレメント２Ｂを、台船１０上に幅方向に複数並列させて載置し、該台船１０上にて前記ロール状シートエレメント２Ｂを所定長さ巻き戻すとともに、長さ方向の連接部分を重合させずに並列して、長手方向に沿う幅方向の端縁にて、隣り合うシートエレメント同士で、最下層の緩衝接地層３の接合代３１を溶着装置にて点状接着或いは線状接着を行い、次に最上層の緩衝層５の接合代を所定幅折り返して遮水層４の接合代４１を加熱溶着装置にて接合し、次に最上層の緩衝層５を重ねて、順次前記シートエレメント２を長手方向に接合して、所定の幅長Ｗの帯状遮水シート１Ａを得て、これを敷設するシート長さになるまで、台船１０を移動させながら繰り返す長手方向敷設工程と、
前記台船１０を前記帯状遮水シート１Ａの幅方向に移動させ、前記長手方向敷設工程を行うとともに、既に敷設するシート長とされた帯状遮水シート１Ａの長手方向に沿う端縁と接合して、該帯状遮水シート１Ａ同士を順次接合して敷設するシート幅長となるまで繰り返す幅方向敷設工程と、
前記幅方向敷設工程にて前記貯留部７の底面及び周面を覆う面積に遮水シート１を接合形成して得た後、前記貯留部７近傍に設置されるポンプにて、前記貯留部７内の溜水を、前記遮水シート１の上面に入れ換え、該遮水シート１を沈めて前記貯留部７の底面及び周面とにわたり敷設させる沈下工程と、
からなることを特徴とする。
【００１２】
請求項４記載の遮水シートの敷設方法は、請求項１，２，３のいずれか１つに記載の遮水シートの敷設方法において、
ロール状に巻回される前記シートエレメント２を、台船１０上に幅方向に複数並列させて載置し、該台船１０上にて前記ロール状シートエレメント２Ｂを所定長さ巻き戻すとともに切断し、該切断長さをシート幅長として、各シートエレメント２の幅方向の端縁にて、隣り合うシートエレメント同士で、最下層の緩衝接地層３の接合代３１を溶着装置で点状接着及び／又は線状接着を行い、次に遮水層４の接合代４１を溶着装置で一重線状接着及び／又は二重線状接着を行い、次に最上層の緩衝層５の接合代５１を溶着装置で点状接着及び／又は線状接着を行い、前記シートエレメントの幅方向を長さ方向として、該長さ方向にずらしながら、これを敷設するシート長さになるまで繰り返し、前記貯留部７の周面に引き上げる周面敷設工程を含むことを特徴とする。
【００１３】
このような遮水シートの構造によれば、遮水シート１を構成するシートエレメント２を、緩衝接地層３と遮水層４と緩衝層５とで三層構造とし、表裏面に不織布よりなる緩衝層３，５を備えた構造としたので、例えば貯留部７を産業廃棄物処理場とした際に、廃棄物が投入された際の、この廃棄物による破損を防ぐことができるとともに、貯留部７の底面である地面に対しても緩衝作用を備えたものとなり、このことから破損の起きにくい遮水構造が得られる。
【００１４】
また、この遮水シートの構造の敷設方法によれば、漏水などを防ぐ遮水層４を緩衝層３，５となる不織布で挟み、互いを接着して積層状態で構成させたことから、遮水構造と緩衝構造とを１度の敷設作業で完了でき、また、水中内に沈ませる敷設方法である施工作業として、水置換の作業工程が１度で済ませることが可能となる。
【００１５】
さらに、この遮水シートの敷設方法では、台船上にてシートエレメントを所定長さごとで切断して、その幅方向の端縁同士で接着し、これを貯留部７の周面７ａに引き上げて、この周面７ａを覆う工程を含むことで、貯留部７の周面７ａに対する敷設を確実なものとし、底面側への沈下工程とともに、貯留部７の全面への敷設が行われることとなる。特に、シートエレメント同士の接着される端縁が、引き上げ方向と略同方向となることで、帯状遮水シートとして形成されている状態からの接着部分の剥離などの破損が起きにくくなる。
【００１６】
また、遮水シートを構成するシートエレメント同士の接着において、遮水層４の接合代４１の接着を二重線状接着とすることで、この接着部分における接着状態を検査可能となる。すなわち、二重線状に接着された中間部分において、エア注入による接着不良検査を行うことが可能となり、これにより、遮水層４同士の接着状態を確認した後、敷設させることが可能となる。
【００１７】
さらに、この遮水シートの構造によれば、各層を構成する緩衝接地層３、遮水層４、緩衝層５のそれぞれを略対角線方向にずらして積層形成する構成とすることで、各シートエレメント２同士を接合する際に端縁部分が捲りやすく、容易に各層同士の接合作業を行うことができ、また、各層の接合代３１，４１，５１が、厚み方向に全て重合することがなく、各シートエレメント２の接合部分が嵩ばらない遮水シート１を得ることができる。
【発明の効果】
【００１８】
以上説明したように本発明による遮水シートの構造の敷設方法によれば、漏水などを防ぐ遮水層を緩衝層となる不織布で表裏面を挟み、互いを接着して積層状態で構成させたことから、敷設作業として、同じ個所（地点）を繰り返すことがなく、水中内に沈ませる作業として水置換の作業工程が１度で済ませることが可能となる。これにより、施工時間の短縮化が図れ、工期を短縮することが可能となる。
【００１９】
さらに、この遮水シートの敷設方法では、台船上にてシートエレメントを所定長さごとで切断して、その幅方向の端縁同士で接着し、これを貯留部の周面に引き上げて、この周面を覆う工程を含むことで、貯留部の周面に対する敷設を確実なものとし、底面側への沈下工程とともに、貯留部の全面への敷設が行われることとなる。特に、シートエレメント同士の接着される端縁が、引き上げ方向と略同方向となることで、帯状遮水シートとして形成されている状態からの接着部分の剥離などの破損が起きにくくなる。
【発明を実施するための最良の形態】
【００２０】
まず始めに、本発明の方法を実施するための遮水シートの構造について説明する。
図１は本発明による遮水シートの構造の一実施の形態を示す側断面図、図２は同遮水シートを構成するシートエレメントの平面図を（ａ）に、側断面図を（ｂ）に示した図である。
【００２１】
遮水シート１は、複数のシートエレメント２で構成され、これらシートエレメント２を端縁同士で接合し、得られるものである。
図２に示すように、このシートエレメント２は、緩衝接地層３と遮水層４と緩衝層５とで構成される。緩衝接地層３及び緩衝層５は、それぞれ不織布よりなり、これら緩衝接地層３と緩衝層５との間に樹脂シートよりなる遮水層４が展張され、すなわち三層構造とされる。
【００２２】
遮水層４とされる樹脂シートは、長さ約２０〜５０ｍ×幅２〜３ｍ×厚さ約１．５ｍｍの矩形状に形成される塩化ビニル系樹脂、ポリオレフィン系樹脂、エラストマ材料などよりなる。また、緩衝接地層３と緩衝層５とされる不織布は、樹脂シートと略同長、略同幅な、すなわち略同面積とされ、厚さ約１０ｍｍのポリエステル系樹脂などを素材とする。
【００２３】
また、これら各層を構成する不織布の緩衝接地層３及び樹脂シートの遮水層４は、図２（ａ）に示すように、隣り合う二辺となる各端縁３ａ，３ｂ，４ａ，４ｂが所定長さ延出するように構成されている。
【００２４】
本実施の形態では、緩衝接地層３の隣り合う二辺となる各端縁３ａ，３ｂが遮水層４の端縁４ａ，４ｂより所定長さ延出し、遮水層４の隣り合う二辺となる各端縁４ａ，４ｂが緩衝層５の端縁５ａ，５ｂより所定長さ延出するように、緩衝接地層３と遮水層４と緩衝層５とが、それぞれ略対角線方向にずれて構成されている。なお、延出する長さは各端縁３ａ，３ｂ，４ａ，４ｂで略同等の長さに設定され、例えば、２００ｍｍ程度とされる。
【００２５】
そして、各層３，４，５の互いに対向する面は、例えば、熱溶着などの手段にて、互いを接着しており、表裏面が不織布とされる積層構造としている。
この各層３，４，５同士の接着は、各層のそれぞれの周縁部分に互いを接着しない非接着部分を端縁に沿って形成して緩衝接地層３の延出した端縁３ａ，３ｂと遮水層４の延出した端縁４ａ，４ｂ及び各層３，４，５の各端縁に接合代３１，４１，５１を設け、これら接合代３１，４１，５１を除いて所定間隔毎の点状接着や線状接着、或いは全面にわたって接着される（図中黒丸部分）。なお、各層３，４，５の接着されない接合代３１，４１，５１の幅長は例えば１５０ｍｍ程度とされる。
【００２６】
各シートエレメント２は、図１に示すように、遮水層４の互いの接合代４１同士を接着し、所定の長さ及び幅長の遮水シート１となる。接着の手段としては、熱風や高周波加熱方式が採用される。
【００２７】
次に、上記構成のシートエレメント２よりなる遮水シート１の敷設手順について説明する。
まず、上記したシートエレメント２は、予め工場内で長手方向に連接される。すなわち、シートエレメント２は、長手方向の両端である短辺同士を接合させて、長尺な帯状に成形される。成形された帯状のシートエレメント２Ａは、ロール状に巻回される。
【００２８】
このロール状シートエレメント２Ｂを得るための互いの接合手順としては、各シートエレメント２の短辺における端縁（接合代）に沿って溶接機が自走することで行われる。まず、図３（ａ）に示すように、まず最上層の緩衝層５と遮水層４の各端縁を捲り、最下層の緩衝接地層３の接合代３１を重ね合わせて互いの接合代を溶接機にて点状接着或いは線状接着を行って互いに接合する。次に、図３（ｂ）に示すように、最上層の緩衝層５の端縁を折り返し捲った状態で中間層である遮水層４の接合代４１同士を重ね合わせ、この状態で遮水層４の接合代４１同士を溶接機にて溶接する。この遮水層４の接合代４１同士の接合は、端縁に沿って、一重線状接着或いは二重線状接着にて行われる。その後、図３（ｃ）に示すように、最上層の緩衝層５の接合代５１同士を重ね合わせ、好ましくは、この接合代５１同士を、溶接機にて点状接着或いは線状接着を行って互いに接合し、完了する。すなわち、延出する各接合代３１，４１，５１を、他のシートエレメント２の端縁の接合代３１，４１，５１上にそれぞれに重ねて接合させる。このような接合代３１，４１，５１により、各シートエレメント２，２，…を長手方向に順次連接し接合した際には、接合部分が厚さ方向に重なることがなく、嵩ばりを防止でき、帯状のシートエレメント２Ａが得られる。そして、この帯状のシートエレメント２Ａを巻き取り、ロール状とする。
【００２９】
次に、ロール状シートエレメント２Ｂは、台船としての敷設船１０に積載される。
この敷設船１０は、自航性のものでもよく、または曳舟により曳航される単なる台船でも良い。この敷設船１０上には、複数のロール状シートエレメント２Ｂを収納保持する収納保持部１１と、収納保持部１１に隣接して配置され帯状のシートエレメント２Ａを拡げる展張台１２と、展張台１２上を移動自在に設けられる溶接機１３、溶接後のシートを水上へ送り出す巻き出し機１４とが具備される。
【００３０】
次に、長手方向敷設工程として、図６に示すように、各ロール状シートエレメント２Ｂは、展張台１２上にて所定長さ巻き戻され、それぞれが並列して展張状態とされる。次に、各帯状のシートエレメント２Ａの隣り合う長さ方向に沿う幅方向の端縁部分が、溶接機１３にて接合される。この各帯状シートエレメント２Ａの接合は、上記した短辺（端縁３ａ，４ａ，５ａ）同士の接合と同様とされる。すなわち、まず、図３（ａ）に示すように、まず最上層の緩衝層５と遮水層４の各端縁を捲り、最下層の緩衝接地層３の接合代３１を重ね合わせて互いの接合代を溶接機１３にて点状接着或いは線状接着を行って互いに接合する。次に、図３（ｂ）に示すように、最上層の緩衝層５の端縁を折り返し捲った状態で中間層である遮水層４の接合代４１同士を重ね合わせ、この状態で遮水層４の接合代４１同士を溶接機１３にて溶接する。この遮水層４の接合代４１同士の接合は、端縁に沿って、一重線状接着或いは二重線状接着にて行われる。その後、図３（ｃ）に示すように、最上層の緩衝接地層５の接合代５１同士を重ね合わせ、好ましくは、この接合代５１同士を、溶接機にて点状接着或いは線状接着を行って互いに接合し、完了する。これにより、帯状のシートエレメント２Ａが幅方向に接続され所定の幅長Ｗの帯状遮水シート１Ａが得られる（図６参照）。
なお、この長手方向同士の接合では、図４に示すように、接合済みとなっている短辺部分、すなわち連接部分が幅方向に直線状に連続しないように、互い違いに接合される。つまり、各シートエレメント毎の各角部分同士が互いに重なり合わないように接合される。これにより、各シートエレメント２，２，…の接合された部分が、厚さ方向に重なることがなく、嵩ばりを防止できる。
【００３１】
そして、このような長手方向に沿う幅方向の端縁の接合を連続して行い、所定の幅長Ｗの帯状遮水シート１Ａを、敷設船１０を徐々に移動させながら、対岸まで、すなわち、貯留部７における敷設するシート長さとなるまで接合、成形を行う。なお、この成形と同時に、帯状遮水シート１Ａの長手方向に沿う幅方向の端縁部分には、図５に示すように、所定の間隔ごとにフロート１６を接続させる。
また、帯状遮水シート１Ａの先端（接合開始部分）は、貯留部７の護岸に固定しておく。
【００３２】
次に、敷設船１０を、既に上記長手方向敷設工程にて成形された帯状遮水シート１Ａの側方に移動させる。そして、この帯状遮水シート１Ａの近接位置にて、再び各帯状シートエレメント２Ａをロール状の状態から巻き戻し、それぞれを接合して、上記同様に帯状遮水シート１Ａを成形させる。
【００３３】
同時に、幅方向敷設工程として、既に敷設された帯状遮水シート１Ａの端縁と、この新たに成形される帯状遮水シート１Ａとの接合を行う。この工程は、フロート１６の接続された端縁を、敷設船１０とは別体の小型台船としての潜水船１８にて図７（ａ）（ｂ）に示すように水上に浮上させ、帯状遮水シート１Ａ同士の端縁を上記同様に各層毎に接合させる。
なお、この帯状遮水シート１Ａ同士の接合を行うとともに、フロート１６を取り外すこととしてもよい。
【００３４】
そして、上記長手方向敷設工程と、幅方向敷設工程とを繰り返し、敷設対象である処理場などの貯留部７の底面及び周面を含めた長さ及び幅長に対応した面積に各シートエレメント２を遮水シート１として接合形成させる。
なお、ロール状シートエレメント２Ｂが終端まで達した場合には、新たにロール状シートエレメント２Ｂを接合して連続して作業を行う。
【００３５】
次に、沈下工程として、完成された上記遮水シート１を貯留部７の溜水内に沈める。この工程は、まず、貯留部７の近傍地上に設置されるポンプ（図示せず）を作動させる。そして、貯留部７の溜水を貯留部７の全面を覆う遮水シート１の上面に置換を行う。これにより、遮水シート１を水中に沈め、貯留部７の底面及び周面が覆われる。
その後、遮水シート１の周縁が、貯留部７の周囲で固定され、敷設が完了する。
【００３６】
従ってこのように構成された遮水シート１の構造では、漏水などを防ぐ遮水層４となる樹脂シートを緩衝層３，５となる不織布で挟み、互いを接着して積層状態で構成させたことから、敷設方法として、水中内に沈ませる作業として水置換の作業工程を１度で済ませることが可能となる。
【００３７】
また、遮水層４の表裏面に緩衝層３，５が設けられた構成であることから、処理場として廃棄物が投入された際の、この廃棄物による破損を防ぐことができるとともに、貯留部７の底面である地面に対しても緩衝作用を備えたものとなる。このことから破損の起きにくい遮水構造を得ることが可能となる。
【００３８】
さらに、各層を構成する緩衝接地層３、遮水層４、緩衝層５のそれぞれを略対角線方向にずらして積層形成したので、各シートエレメント２同士を接合する際に端縁部分が捲りやすく、容易に遮水層４同士の接合作業を行うことができ、また、各層の接合代３１，４１，５１が、厚み方向に重合せず、各シートエレメント２の接合部分が嵩ばらないこととなる。
【００３９】
なお、上述した実施の形態では、各層を構成する、緩衝接地層３と遮水層４と緩衝層５とを、それぞれ略対角線方向にずらし、それぞれが同方向に所定長さ延出形成された接合代３１，４１，５１を備えた構造とした例について述べたが、この接合代の延出形成構造としては、図８，９，１０に示すような構成としてもよい。すなわち、図８（ａ）に示すように、最上層の緩衝層５と最下層の緩衝接地層３とを遮水層４に対して同幅長ずつずらして構成する例や、図９（ａ）に示すように、最下層となる緩衝接地層３のみが延出形成する構成例、或いは、図１０（ａ）に示すように、最上層の緩衝層５と最下層の緩衝接地層３とを遮水層４に対してずらすとともに緩衝層５を緩衝接地層３よりもずらして構成する例などとしても良い。このような構成としても、図８（ｂ），図９（ｂ），図１０（ｂ）に示すように、各層３，４，５の各端縁の接合時に、接合代３１，４１，５１部分を捲り易くでき、その接合作業を行いやすくすることができる。
【００４０】
また、上記した各シートエレメント２の接合時において、遮水層４の接合代４１の接着を二重線状接着とすることで、この接着部分における接着状態の検査が可能となる。すなわち、二重の線状に接着された各接着部分の間となる中間部分において、この中間部分が未接着な管状空間を生じる部分となることで、この中間部分にエア注入による接着不良検査を行うことが可能となる。すなわち、エア注入を行い、エア洩れが生じていないかを検査でき、エア洩れ部分が未接着部分であると判断が可能となる。これにより、遮水層４同士の接着状態を確認することができ、その検査後に敷設させることが可能となる。
【００４１】
さらに、上記した遮水シートの敷設方法において、貯留部７の周面７ａの位置においては、上述のような帯状シートエレメント２Ａを帯状遮水シート１Ａに形成して（長手方向敷設工程）行う手順、すなわち帯状シートエレメント２Ａの長手方向を帯状遮水シート１Ａの長手方向に一致させて接合形成して敷設を行う手順ではなく、周面７ａ部分における敷設工程として帯状シートエレメント２Ａを、所定の長さに切断形成し、この切断長さをシート幅長として、各シートエレメントをその幅方向に接合して、この幅方向をシートの長さ方向として帯状に形成する工程とし行うこととしてもよい。
この工程としては、周面敷設工程とされ、図１１に示すように、まず、積載船（台船）１０上にて複数の帯状シートエレメント２Ａを所定長さごとで切断して、すなわち複数載置された各ロール状シートエレメント２Ｂを展張台１２上にて所定長さ巻き戻して、周面７ａの高さ方向の長さ程度に切断し、これをシートエレメント２の幅方向に複数並列載置させる。次に、その隣り合う幅方向の端縁同士で上記と同様に各層３，４，５同士で溶接機１３にて接着し接合を行う。次に、これらシートエレメントの幅方向を帯状遮水シート１Ａの長さ方向とし、この長さ方向にずらしながら、すなわちシートエレメント２自体での幅方向にずらしながら、送り出し、上記のシートエレメント毎の幅方向の接合を繰り返すとともに、送り出された既接合のものと接合し、これを敷設するシート長さになるまで繰り返して帯状遮水シート１Ａを得る。次に、この帯状遮水シート１Ａを、図１１に示すような貯留部７の近接地上に配置されるクレーン車２０等を用いて、貯留部７の周面７ａに、遮水シート１の周縁を引き上げて、貯留部７の周縁部分にて固定される。ここで、帯状遮水シート１Ａとされて形成される際に、長手方向の端縁に、クレーン車２０の牽引ワイヤ２１に連結可能なように連結穴等を形成させることとしてもよい。
その後、上記した幅方向敷設工程を行って、貯留部７の底面を覆う帯状遮水シート１Ａと接合され、ポンプを用いることで、水中に沈下させ（沈下工程）敷設を行う。
なお、この周面敷設工程では、図１１に示すように、積載船１０を、上述した長手方向敷設工程，幅方向敷設工程にて用いた積載船１０を利用して、この積載船の航行方向を変えることで帯状遮水シート１Ａの敷設を行うこととしてもよく、別途用意される積載船１０にて施工を行ってもよい。
【００４２】
この貯留部７の周面７ａを覆う工程を含むことで、貯留部７の周面７ａに対する敷設を確実なものとし、底面側への沈下工程とともに、貯留部７の全面への敷設が行われることとなる。すなわち、貯留部７の周面７ａが水中の部分と水上に表出している部分とがある場合に有効である。特に、シートエレメント同士の接着される端縁が、クレーン車２０による引き上げ方向と略同方向となることで、帯状遮水シート１Ａとして形成されている状態からの接着部分の剥離などの破損が起きにくくなる。
【００４３】
また、上述した実施の形態では、敷設船１０を移動させながら帯状遮水シート１Ａを接合形成する例について述べたが、敷設船１０を移動させず、別体の台船を用い、この別体の台船に帯状遮水シート１Ａの先端（接合開始部分）を保持させ、敷設船１０に対して帯状遮水シート１Ａの先端を貯留部７の対岸まで牽引して、敷設することとしてもよい。
【図面の簡単な説明】
【００４４】
【図１】本発明による方法の実施に用いる遮水シートの構造の一実施の形態を示す側断面図である。
【図２】同遮水シートを構成するシートエレメントの平面図を（ａ）に、側断面図を（ｂ）に示した図である。
【図３】同シートエレメントの接合手順を示した側断面図である。
【図４】各シートエレメントを接合し帯状の遮水シートを構成した平面図である。
【図５】本発明による遮水シートの敷設方法にて用いられる台船の概略側面図である。
【図６】ロール状シートエレメントの接合手順を示す概略斜視図である。
【図７】同遮水シートの敷設手順を示す概略図である。
【図８】他の実施の形態のシートエレメントの側断面図を（ａ）に、該シートエレメントにて構成される遮水シートの側断面図を（ｂ）に示した図である。
【図９】他の実施の形態のシートエレメントの側断面図を（ａ）に、該シートエレメントにて構成される遮水シートの側断面図を（ｂ）に示した図である。
【図１０】他の実施の形態のシートエレメントの側断面図を（ａ）に、該シートエレメントにて構成される遮水シートの側断面図を（ｂ）に示した図である。
【図１１】周面敷設工程の概略図である。
【符号の説明】
【００４５】
１…遮水シート
１Ａ…帯状遮水シート
２…シートエレメント
２Ａ…帯状シートエレメント
２Ｂ…ロール状シートエレメント
３…緩衝接地層
４…遮水層
５…緩衝層
３ａ，３ｂ，４ａ，４ｂ，５ａ，５ｂ…端縁
７…貯留部
１０…台船（積載船）
１８…小型台船（潜水船）
３１，４１，５１…接合代
【図１】
2006315005.tif 000003
【図２】
2006315005.tif 000004
【図３】
2006315005.tif 000005
【図４】
2006315005.tif 000006
【図５】
2006315005.tif 000007
【図６】
2006315005.tif 000008
【図７】
2006315005.tif 000009
【図８】
2006315005.tif 000010
【図９】
2006315005.tif 000011
【図１０】
2006315005.tif 000012
【図１１】
2006315005.tif 000013